(57)【要約】【課題】  モータ本体から回転軸が突出する突出部からモータ本体の内部へのガスの浸入を防止できる構造の回転駆動装置およびこれを使用したディスク装置を提供する。【解決手段】  モータ本体２０ａの前方軸受部材２３から回転軸２１が突出するモータが使用される。モータ本体２０ａの前方に設けられたカバー部材３０は回転軸２１に挿通されている。カバー部材３０の突起部３３および内表面３２と、前方軸受部材２３の表面２３ａとで囲まれた液溜め部３５に液体４５が溜められており、前方軸受部材２３と回転軸２１との間の突出隙間である突出部２５が液体４５で覆われている。また、１つのばね部材の押圧部４２ａによって、カバー部材３０の突起部３３が表面２３ａに押し付けられているとともに、カバー部材３０を介して回転軸２１にラジアル方向の与圧が与えられている。【選択図】図３
2013120609.tif 000002
【特許請求の範囲】
【請求項１】
筐体内に軸受部材と駆動部とが収納されたモータ本体、および前記軸受部材に回転自在に保持されて前記モータ本体の外部に突出する回転軸を有するモータと、前記モータ本体の外部で前記回転軸に固定された回転体とが設けられた回転駆動装置において、
前記モータ本体から前記回転軸が突出する突出部を覆い且つ前記回転軸が挿通されるカバー部材が設けられ、前記カバー部材の内表面と前記突出部との間に、液体を収納する液溜め部が設けられていることを特徴とする回転駆動装置。
【請求項２】
前記カバー部材の外表面に、液体が溜まる凹部が形成されており、前記凹部内の液体が、前記回転軸と前記カバー部材との隙間を経て前記液溜め部に流入可能である請求項１記載の回転駆動装置。
【請求項３】
前記回転体の一部が前記凹部の内部に入り込んでいる請求項２記載の回転駆動装置。
【請求項４】
前記カバー部材を前記モータ本体に押し付けるとともに前記カバー部材を介して前記回転軸にラジアル方向の与圧を与えるばね部材が設けられている請求項１ないし３のいずれかに記載の回転駆動装置。
【請求項５】
前記カバー部材の外表面に、前記回転軸から遠ざかるにしたがって前記モータ本体に接近していく傾斜部が設けられ、前記ばね部材が前記傾斜部を押圧している請求項４記載の回転駆動装置。
【請求項６】
請求項１ないし５のいずれかに記載の回転駆動装置が使用され、前記回転体が、ディスクの中心部を保持するターンテーブルであり、前記ターンテーブルにディスクを供給する搬送機構が設けられていることを特徴とするディスク装置。
【発明の詳細な説明】
【技術分野】
【０００１】
本発明は、筐体内に軸受部材と駆動部が収納されたモータ本体、および前記軸受部材に保持されて前記モータ本体から突出する回転軸を有するモータが使用され、前記モータ本体から回転軸が突出する突出部（突出隙間）からモータ本体の内部に気体などが浸入するのを防止することができる回転駆動装置およびこれを使用したディスク装置に関する。
【背景技術】
【０００２】
以下の特許文献１には、封止部材を有するモータが開示されている。
このモータは、固定軸の外周部に玉軸受を介してスリーブが回転自在に支持されており、スリーブにロータマグネットが固定され、回転軸が固定されている固定部にステータコイルが設けられている。回転軸の先端部に、封止部材であるキャップが固定されており、キャップの外周部と、前記スリーブの外周部とが微小隙間を介して対向している。このキャップを設けることによって、玉軸受から発生するガスがモータの外部に流出するのを阻止しようとしている。
【先行技術文献】
【特許文献】
【０００３】
【特許文献１】特許第３６５２７３２号公報
【発明の概要】
【発明が解決しようとする課題】
【０００４】
特許文献１に記載されたモータでは、封止部材であるキャップとスリーブとの微小隙間でガスの流出を防止しようとしているが、この微小隙間によって、ガスが流出しあるいは流入するのを完全に阻止するのは困難である。
【０００５】
本発明は上記従来の課題を解決するものであり、モータ本体から回転軸が突出する突出部に設けられた隙間を気体が通過するのを阻止する機能を高めることができる回転駆動装置およびこれを使用したディスク装置を提供することを目的としている。
【課題を解決するための手段】
【０００６】
本発明は、筐体内に軸受部材と駆動部とが収納されたモータ本体、および前記軸受部材に回転自在に保持されて前記モータ本体の外部に突出する回転軸を有するモータと、前記モータ本体の外部で前記回転軸に固定された回転体とが設けられた回転駆動装置において、
前記モータ本体から前記回転軸が突出する突出部を覆い且つ前記回転軸が挿通されるカバー部材が設けられ、前記カバー部材の内表面と前記突出部との間に、液体を収納する液溜め部が設けられていることを特徴とするものである。
【０００７】
本発明の回転駆動装置では、前記モータ本体から前記回転軸が突出する突出部（突出隙間）とカバー部材の内表面との間に液体を存在させることができるため、気体が前記突出部を通過して移動するのを防止する効果を高くできる。
【０００８】
本発明は、前記カバー部材の外表面に、液体が溜まる凹部が形成されており、前記凹部内の液体が、前記回転軸と前記カバー部材との隙間を経て前記液溜め部に流入可能であるものが好ましい。
【０００９】
上記構造では、カバー部材の内表面と突出部との間の液溜め部内に長期間液体を溜めることができるようになる。
【００１０】
また、本発明は、前記回転体の一部が前記凹部の内部に入り込んでいる構造にできる。
回転体の一部が凹部の内部に位置する構造では、回転体をモータ本体に近い位置に配置でき、回転駆動装置を薄い構造に構成しやすくなる。
【００１１】
本発明は、前記カバー部材を前記モータ本体に押し付けるとともに前記カバー部材を介して前記回転軸にラジアル方向の与圧を与えるばね部材が設けられているものが好ましい。例えば、前記カバー部材の外表面に、前記回転軸から遠ざかるにしたがって前記モータ本体に接近していく傾斜部が設けられ、前記ばね部材が前記傾斜部を押圧しているものである。
【００１２】
前記発明では、共通のばね部材を使用して、カバー部材をモータ本体に押し付けることができるとともに、回転軸のラジアル方向のがたつきの発生を防止できるようになる。
【００１３】
本発明のディスク装置は、前記いずれかに記載の回転駆動装置が使用され、前記回転体が、ディスクの中心部を保持するターンテーブルであり、前記ターンテーブルにディスクを供給する搬送機構が設けられていることを特徴とするものである。
【発明の効果】
【００１４】
本発明は、モータ本体から回転軸が突出する突出部（突出隙間）とカバー部材の内表面との間に液体を配置することで、前記突出部からモータ本体の筐体の内部にガスが流入したり、あるいはモータ本体の内部からガスが流出するのを効果的に防止できるようになる。
【図面の簡単な説明】
【００１５】
【図１】本発明の回転駆動装置およびディスク装置の実施の形態の概略構造を示す側面図、
【図２】図１に示す回転駆動装置の拡大側面図、
【図３】図２に示す回転駆動装置の一部拡大断面図、
【図４】カバー部材とばね部材との当接部を示す拡大断面図、
【図５】回転駆動装置の分解斜視図、
【発明を実施するための形態】
【００１６】
図１に示すディスク装置１は、装置筐体２の内部に回転駆動装置１０が設けられている。回転駆動装置１０は、機構シャーシ１１にモータ２０が固定されており、モータ２０の回転軸２１が機構シャーシ１１から上方へ突出しており、この回転軸２１に回転体としてターンテーブル５０が固定されている。
【００１７】
回転駆動装置１０の上方にクランプアーム１３が設けられ、クランプアーム１３の先部にクランパ１４が回転自在に支持されている。
【００１８】
装置筐体２に、挿入口２ａが開口しており、その内側に搬送機構１５が設けられている。搬送機構１５は、合成樹脂材料で形成された摺動部材１６と、この摺動部材１６に対向する搬送ローラ１７とを有している。
【００１９】
ディスク装置１に装填されるディスクＤは、ＣＤまたはＤＶＤあるいはブルーレイディスクなどである。ディスクＤは挿入口２ａから装置筐体２の内部に挿入され、搬送機構１５の摺動部材１６と搬送ローラ１７とで挟持され、搬送ローラ１７の回転力で装置筐体２の内部に向けて搬送される。ディスクＤの中心部がターンテーブル５０の真上に移動すると、クランプアーム１３が下降し、ディスクＤの中心部がターンテーブル５０とクランパ１４とで挟持されてディスクＤの装填が完了する。
【００２０】
ディスクＤの装填が完了すると、モータ２０が始動してターンテーブル５０およびクランパ１４と共にディスクＤが回転させられる。そして、機構シャーシ１１に設けられた光ヘッドにより、ディスクＤに記録された情報が読み出され、またはディスクＤに情報が記録される。
【００２１】
次に、図２ないし図５を参照して回転駆動装置１０の構造を説明する。
図２と図５に示すように、機構シャーシ１１には下向きに突出する円形の支持凹部１１ａが形成されている。支持凹部１１ａの底部に平坦な底板部１１ｂが設けられており、底板部１１ｂの中心部に円形の貫通穴１１ｃが形成されている。
【００２２】
底板部１１ｂにモータ２０が固定されている。モータ２０は、モータ本体２０ａと、回転力を出力する回転軸２１とで構成されている。
【００２３】
モータ本体２０ａは金属板で形成されたモータ筐体２２を有している。モータ筐体２２の前板部２２ａが、機構シャーシ１１の支持凹部１１ａの底板部１１ｂの下面に設置されている。前板部２２ａに雌ねじ穴が形成され、底板部１１ｂに取付け穴が形成されており、上方から取付け穴に挿通された取付けねじが前記雌ねじ穴に螺着されて、前板部２２ａが底板部１１ｂの下面に固定されている。
【００２４】
図２に示すように、モータ筐体２２の前板部２２ａの中心部に保持穴２２ｂが開口し、モータ筐体２２の後板部２２ｃの中心部に保持穴２２ｄが開口している。前板部２２ａの保持穴２２ｂに前方軸受部材２３が保持され、後板部２２ｃの保持穴２２ｄに後方軸受部材２４が保持されている。前方軸受部材２３と後方軸受部材２４は、金属で形成された摺動軸受である。図３にも示すように、前方軸受部材２３の一部が、モータ筐体２２の前板部２２ａの前面よりも前方へ突出しており、前板部２２ａから突出している前方軸受部材２３の一部が、機構シャーシ１１の底板部１１ｂに形成された貫通穴１１ｃの内部に入り込んでいる。
【００２５】
回転軸２１は、前方軸受部材２３と後方軸受部材２４に回転自在に保持されており、回転軸２１の先部２１ａが、モータ本体２０ａから前方へ突出している。すなわち、回転軸２１の先部２１ａは、モータ本体２０ａの一部である前方軸受部材２３から前方へ突出している。前方軸受部材２３の軸受穴２３ｂと回転軸２１との摺動部にはわずかな隙間が形成されている。この隙間が、回転軸２１が突出する突出隙間であり、本発明での突出部２５である。
【００２６】
図２に示すように、モータ本体２０ａのモータ筐体２２の内部では、回転軸２１にロータ２６が固定され、ロータ２６にロータコイル２６ａが固定されている。モータ筐体２２の内部にステータマグネット２７が固定されており、ステータマグネット２７がロータコイル２６ａに対向している。ロータコイル２６ａとステータマグネット２７とで磁気駆動部２８が構成されている。
【００２７】
モータ筐体２２の内部には、給電ブラシ２９ａが設けられている。前記ロータ２６には、ロータコイル２６ａとして巻かれている導線に導通するリング状電極２９ｂが設けられている。給電ブラシ２９ａがリング状電極２９ｂに摺動することでロータ給電部２９が構成されている。このモータ２０は、駆動電流が給電ブラシ２９ａからリング状電極２９ｂに与えられてロータコイル２６ａに給電され、ロータ２６と回転軸２１が回転駆動される。
【００２８】
図３に拡大して示されるように、モータ２０の全部にカバー部材３０が設けられている。カバー部材３０は合成樹脂材料で形成され、またはアルミニウム合金などの軽金属材料で形成されている。
【００２９】
カバー部材３０の中心部に挿通穴３１が前後に貫通して形成されており、回転軸２１が挿通穴３１の内部に回転自在に挿通されている。カバー部材３０のモータ本体２０ａに向けられた内表面３２に突起部３３が一体に突出形成されている。突起部３３は、挿通穴３１の周囲全長を連続して囲むことができるようにリング状に形成されている。
【００３０】
モータ２０の前部にカバー部材３０が設置されると、突起部３３が、モータ本体２０ａの前方軸受部材２３の前面２３ａに当接し、カバー部材３０の外周縁３４が機構シャーシ１１の底板部１１ｂの前面に対向する。このとき、突起部３３と前方軸受部材２３とが必ず当接できるように、外周縁３４と底板部１１ｂとがわずかな隙間を介して対向できるようになっている。
【００３１】
図３に示すように、前方軸受部材２３に当接した突起部３３で囲まれた領域では、カバー部材３０の突起部３３および内表面３２と、前方軸受部材２３の前面２３ａとで囲まれた液溜め部３５が形成されている。この液溜め部３５は、モータ本体２０ａから回転軸２１が突出する突出部２５を覆っている。
【００３２】
カバー部材３０には、その前方において挿通穴３１を囲む凹部３６が形成されている。凹部３６は、カバー部材３０から前方に突出する筒壁３７で囲まれた領域に形成されている。凹部３６は、挿通穴３１と回転軸２１との挿通隙間を介して前記液溜め部３５に通じている。
【００３３】
カバー部材３０のモータ本体２０ａとは逆に向く外表面３８は、前記筒壁３７の表面である筒表面３８ａと、筒表面３８ａの下部から外周縁３４に向けて広がる傾斜部３８ｂとを有している。傾斜部３８ｂは、挿通穴３１および回転軸２１から外周方向に向けて離れるにしたがって、モータ本体２０ａに徐々に接近する向きに傾斜している。
【００３４】
図５に示すように、機構シャーシ１１には、支持凹部１１ａの側方で下向きに折り曲げられた支持片１１ｄが設けられている。ばね部材４０はトーションばねであり、その巻き部４１が支持片１１ｄに挿通されて支持されている。ばね部材４０は巻き部４１から延びる２つのアーム部４２と４３を有している。一方のアーム部４３は、機構シャーシ１１に掛止されている。他方のアーム部４２は、開口部１１ｅから支持凹部１１ａの内部に延び、先部の押圧部４２ａが、カバー部材３０の外表面３８の傾斜部３８ｂに弾圧されている。
【００３５】
図４に示すように、カバー部材３０の外表面３８の傾斜部３８ｂが、アーム部４２の押圧部４２ａによってＦ１方向へ押圧されているが、傾斜部３８ｂの傾きにより、前記Ｆ１の垂直方向の分力Ｆ２が発生し、この分力Ｆ２によって、突起部３３が、前方軸受部材２３の前面２３ａに押し付けられている。
【００３６】
図３に示すように、カバー部材３０の突起部３３および内表面３２と、前方軸受部材２３の前面２３ａとで囲まれた液溜め部３５に液体４５が収納されている。またカバー部材３０の凹部３６の内部にも液体４５が供給されており、凹部３６内の液体４５を、挿通穴３１と回転軸２１との隙間を通じて液溜め部３５に供給できるようになっている。
【００３７】
液体４５は、シリコーンを含まないオイルであり、動粘度が４０℃で２０〜３０ｃＳｔ（＝mｍ2／ｓ）の範囲のものが好ましく使用される。
【００３８】
図２と図３および図５に示すように、回転体であるターンテーブル５０は合成樹脂材料で形成されており、中心部に嵌合穴５１が上下に貫通して形成されており、嵌合穴５１が、モータ２０の回転軸２１の先端部２１ａに圧入されて固定されている。ターンテーブル５０にはモータ本体２０ａに向けて突出する下部突出部５５が一体に形成されており、この下部突出部５５が、カバー部材３０の凹部３６の内部に入り込んでいる。ただし、下部突出部５５の下面と、凹部３６の底面との間に、液体４５を溜めることができる隙間３６ａが形成されている。
【００３９】
下部突出部５５が凹部３６の内部に入り込んでいることにより、嵌合穴５１の長さ寸法を大きくして回転軸２１との嵌合を安定させることができる。また、ターンテーブル５０をモータ本体２０ａに接近させて配置でき、回転駆動装置１０を薄型に構成しやすくなる。
【００４０】
ターンテーブル５０にはフランジ部５２が形成されて、その上面がディスク支持面５２ａとなっている。また中央部に凸部５３が形成され、その外周面に、ディスクＤの中心穴を案内する案内傾斜面５３ａが形成されている。
【００４１】
ディスク装置１に使用されている回転駆動装置１０では、ばね部材４０の押圧部４２ａから与えられる分力Ｆ２によって、カバー部材３０の突起部３３がモータ本体２０ａの前方軸受部材２３の前面２３ａに押し付けられているとともに、押圧部４２ａから与えられる押圧力Ｆ１によって、カバー部材３０を介して回転軸２１の先部２１ａにラジアル方向の与圧が与えられている。
【００４２】
突起部３３が前面２３ａに押し付けられることで、液溜め部３５の内部の保持されている液体４５が、突起部３３と前面２３ａとの間から周囲に洩れにくくなる。また、回転軸２１の先部２１ａにラジアル方向への与圧が与えられることで、前方軸受部材２３の軸受穴２３ｂと回転軸２１との間の微小な隙間を偏らせることができ、回転軸２１が回転するときに軸芯が偏心するのを防止できるようになる。そのため、ターンテーブル５０に設置されたディスクＤの回転中心の振れを防止しやすくなる。
【００４３】
上記のように、１つのばね部材４０で、カバー部材３０のモータ本体２０ａへの押し付けと、回転軸２１のラジアル方向への付勢の双方を行うことができるため、部品数を削減することができる。
【００４４】
また、液溜め部３５に液体４５が溜められているため、前方軸受部材２３と回転軸２１との間の突出部（突出隙間）２５を液体４５で覆うことができる。よって、ディスク装置１の内部で発生するガスや、ディスク装置１が搭載される自動車の車室内で発生するシリコーン系ガスがモータ本体２０ａのモータ筐体２２の内部に浸入しにくくなる。
【００４５】
よって、図２に示すように、モータ筐体２２の内部に設けられた給電ブラシ２９ａやリング状電極２９ｂがシリコーン系ガスで腐食されるなどの不都合を防止できるようになる。また、モータ筐体２２の内部で発生するガスもモータ２０の外部に漏れ出にくくなる。
【００４６】
また、回転軸２１の回転により、液溜め部３５の内部の液体４５が前方軸受部材２３と回転軸２１との隙間に浸入して減少しても、凹部３６の内部に溜められている液体４５が液溜め部３５の内部に補充されることになり、突出部２５を液体４５によって長期間覆うことが可能になる。
【符号の説明】
【００４７】
１  ディスク装置
２  装置筐体
１０  回転駆動装置
１１  機構シャーシ
１３  クランプアーム
１４  クランパ
１５  搬送機構
２０  モータ
２０ａ  モータ本体
２１  回転軸
２２  モータ筐体
２３  前方軸受部材
２５  突出部（突出隙間）
２８  磁気駆動部
３０  カバー部材
３１  挿通穴
３２  内表面
３３  突起部
３５  液溜め部
３６  凹部
３８ｂ  傾斜部
４０  ばね部材
４５  液体
５０  ターンテーブル（回転体）
５５  下部突出部
【図１】
2013120609.tif 000003
【図２】
2013120609.tif 000004
【図３】
2013120609.tif 000005
【図４】
2013120609.tif 000006
【図５】
2013120609.tif 000007